(57)【特許請求の範囲】
【請求項１】
炊飯釜の胴部を包囲する筒状のケース体を備え、前記ケース体内の前記炊飯釜の下方の燃焼室からの燃焼排気が前記ケース体と前記炊飯釜との間を上昇して前記ケース体の外部に排出されるガス炊飯器において、
前記ケース体は、内胴と、前記内胴を包囲して前記内胴との間に筒状の第１間隙を形成する中胴と、前記中胴を包囲して前記中胴との間に筒状の第２間隙を形成する外胴と、を備え、前記第１間隙及び前記第２間隙の上下両端が前記ケース体の外部に連通することを特徴とするガス炊飯器。
【請求項２】
前記外胴は、その上端部のみが前記中胴に連結される請求項１に記載のガス炊飯器。
【請求項３】
前記ケース体は、前記燃焼室に臨む位置にて前記内胴及び前記中胴に貫通状態に装着され且つ前記外胴に対して非接触となる筒状の枠体と、前記枠体に嵌め込まれて前記枠体に固定される窓板と、前記外胴に於ける前記窓板に対向する部分に形成された開口部と、を備える請求項１又は２に記載のガス炊飯器。
【請求項４】
前記ケース体は、前記燃焼室に臨む位置にて前記内胴に形成された開口の周縁部に装着され且つ前記中胴に対して非接触となる枠体と、前記枠体に嵌め込まれて前記開口を閉じる窓板と、前記中胴及び前記外胴に於ける前記窓板に対向する部分の各々に形成された開口部と、を備える請求項１又は２に記載のガス炊飯器。
【請求項５】
前記ケース体は、前記内胴の上端に取り付けられ且つ前記中胴との間に間隔をあけて前記中胴よりも外周側に張り出す環状部材を備え、前記環状部材の外周縁部の下方域に於いて前記外周縁部と間隔をあけて前記外胴が配置される請求項１〜４の何れかに記載のガス炊飯器。
【発明の詳細な説明】
【０００１】
【発明の属する技術分野】
この発明は、ガス炊飯器、特に、炊飯釜の胴部を包囲する筒状のケース体を備えたガス炊飯器に関するものである。
【０００２】
【従来の技術】
図７は、従来のガス炊飯器（９）  の要部断面図である。
同図に示すガス炊飯器（９）  は、業務用であり、炊飯釜（８）  の胴部を包囲して炊飯釜（８）  を支持する筒状のケース体（９ｂ）が台ケース（９ａ）に載置された構成となっている。台ケース（９ａ）には、ガスバーナなどの燃焼機能部が収容されており、ガスバーナのバーナヘッド（９６）が台ケース（９ａ）の上方に露出している。従って、台ケース（９ａ）と炊飯釜（８）  との間がガス燃焼の為の燃焼室（９８）となる。
【０００３】
又、ケース体（９ｂ）は、内周胴部（９１）と、この内周胴部（９１）を包囲する外周胴部（９２）と、を備えた構成となっている。これら内周胴部（９１）と外周胴部（９２）との間には、その下方側にあって周方向に並ぶ第１金具（９４）群と、上方側にあって周方向に並ぶ第２金具（９５）群と、が介在されている。
これら第１金具（９４）群及び第２金具（９５）群によって、内周胴部（９１）と外周胴部（９２）とが相互に連結されると共に、内周胴部（９１）と外周胴部（９２）との間に筒状の間隙（９０）が形成されている。
【０００４】
第１金具（９４）群は、台ケース（９ａ）とケース体（９ｂ）との間に介在されており、これら第１金具（９４）相互の間隙を介して間隙（９０）の下端がケース体（９ｂ）の外部に連通している。又、間隙（９０）は、上方に開放している。
このガス炊飯器（９）  では、燃焼室（９８）でのガス燃焼により生じた燃焼排気が同図の矢印（Ｐ１）のように、ケース体（９ｂ）と炊飯釜（８）  との間を上昇してケース体（９ｂ）の外部に排出される。
【０００５】
このとき、前記燃焼排気に直接接触する内周胴部（９１）が前記燃焼排気により加熱されるが、この内周胴部（９１）と外周胴部（９２）との間に間隙（９０）があるから、この間隙（９０）の空気層による断熱作用によって、外周胴部（９２）の温度上昇が抑制される。
又、間隙（９０）の上下両端がケース体（９ｂ）の外部に連通しているから、同図の矢印（Ｐ２）のように、この外部の空気が間隙（９０）の下端から流入して間隙（９０）を上昇し、更に、同図の矢印（Ｐ３）のように、この間隙（９０）の上端から外部に排出される。従って、この間隙（９０）での空冷作用によっても、外周胴部（９２）の温度上昇が抑制される。
【０００６】
【発明が解決しようとする課題】
ところが、間隙（９０）での上記断熱作用及び上記空冷作用だけでは、外周胴部（９２）の温度上昇の抑制が不十分であり、ケース体（９ｂ）の外表面温度が高温度（例えば、２００〜３００℃）となっていた。従って、このガス炊飯器（９）  が設置された厨房等の温度が上がると共に、このガス炊飯器（９）  の外表面への接触により火傷するなどの問題があった。
【０００７】
本発明は、ケース体の外表面温度の上昇を十分に抑制できるようにすることを課題とする。
【０００８】
【課題を解決するための手段】
前述した課題を解決するために講じた本発明の解決手段は、『炊飯釜の胴部を包囲する筒状のケース体を備え、前記ケース体内の前記炊飯釜の下方の燃焼室からの燃焼排気が前記ケース体と前記炊飯釜との間を上昇して前記ケース体の外部に排出されるガス炊飯器において、
前記ケース体は、内胴と、前記内胴を包囲して前記内胴との間に筒状の第１間隙を形成する中胴と、前記中胴を包囲して前記中胴との間に筒状の第２間隙を形成する外胴と、を備え、前記第１間隙及び前記第２間隙の上下両端が前記ケース体の外部に連通することを特徴とする』ものである。
【０００９】
このものでは、燃焼排気に接する内胴が前記燃焼排気により加熱されるが、内胴とこれの外周側の中胴との間に上記第１間隙があるから、この第１間隙の空気層による断熱作用によって、内胴から中胴への熱伝導が抑制されて中胴の温度上昇が抑制される。加えて、中胴とこれの外周側の外胴との間に上記第２間隙があるから、中胴から外胴への熱伝導が抑制されて外胴の温度上昇が抑制される。従って、ケース体の外表面温度の上昇が抑えられる。
【００１０】
又、第１間隙及び第２間隙の上下両端がケース体（９ｂ）の外部に連通しているから、この外部の空気が第１間隙及び第２間隙の各々の下端から流入して第１間隙及び第２間隙の各々を上昇し、更に、第１間隙及び第２間隙の各々の上端からケース体の外部に排出される。従って、第１間隙及び第２間隙での空冷作用によって中胴及び外胴の温度上昇が抑制されるものとなり、この点でも、ケース体の外表面温度の上昇が抑えられる。
【００１１】
【発明の効果】
本発明では、前記したように、第１間隙での断熱作用及び空冷作用に加えて、第２間隙での断熱作用及び空冷作用があるから、従来のように間隙が１つのものに比べて、外胴の温度上昇の抑制が大きくなり、ケース体の外表面温度の上昇が十分に抑制されたものとなる。又、ケース体から出る輻射熱も大幅に抑えられたものとなる。従って、このガス炊飯器が設置される厨房等の温度が十分に抑制されると共に、このガス炊飯器への接触による火傷等が防止されて安全性が向上する。
【００１２】
［その他］
［ａ項］
上記した発明に於いて、『前記外胴は、その上端部のみが前記中胴に連結される』ものでもよい。
一般に、内胴と中胴とは、炊飯釜等の荷重を受ける為に、その上端部及び下端部で相互に連結される構成となる場合が多いから、この連結箇所による内胴から中胴への熱伝導によって中胴の温度上昇が抑制されにくい傾向となるが、外胴は、その上端部のみが中胴に連結されているから、この連結箇所による中胴から外胴への熱伝導が小さくなり、外胴の温度上昇の抑制が十分なものとなる。
【００１３】
［ｂ項］
上記した発明又はａ項に於いて、『前記ケース体は、前記燃焼室に臨む位置にて前記内胴及び前記中胴に貫通状態に装着され且つ前記外胴に対して非接触となる筒状の枠体と、前記枠体に嵌め込まれて前記枠体に固定される窓板と、前記外胴に於ける前記窓板に対向する部分に形成された開口部と、を備える』ものでもよい。
【００１４】
このものでは、内胴及び中胴に筒状の枠体が貫通状態に装着されて、この枠体に窓板が嵌め込まれており、外胴の窓板に対向する部分には、開口部が形成されている。従って、ケース体の外部から開口部及び窓板を介して燃焼室のガス燃焼の状態を確認できる。
このものでは、内胴及び中胴に装着された枠体が外胴に対して非接触となるから、この枠体による内胴及び中胴から外胴への熱伝導が生じない。従って、この点でも、外胴の温度上昇が抑制される。
【００１５】
［ｃ項］
上記した発明又はａ項に於いて、『前記ケース体は、前記燃焼室に臨む位置にて前記内胴に形成された開口の周縁部に装着され且つ前記中胴に対して非接触となる枠体と、前記枠体に嵌め込まれて前記開口を閉じる窓板と、前記中胴及び前記外胴に於ける前記窓板に対向する部分の各々に形成された開口部と、を備える』ものでもよい。
【００１６】
このものでは、内胴に形成された開口の周縁部に枠体が装着されており、この枠体には、開口を閉じる窓板が嵌め込まれている。そして、中胴及び外胴の窓板に対向する部分の各々には、開口部が形成されている。従って、ケース体の外部から開口部の各々及び窓板を介して燃焼室でのガス燃焼の状態を確認できる。
このものでは、内胴に装着された枠体が中胴に対して非接触となるから、この枠体による内胴から中胴への熱伝導が生じない。従って、中胴の温度上昇が抑制され、これによって、外胴の温度上昇が抑制される。
【００１７】
［ｄ項］
上記した発明、ａ項〜ｃ項の何れかに於いて、『前記ケース体は、前記内胴の上端に取り付けられ且つ前記中胴との間に間隔をあけて前記中胴よりも外周側に張り出す環状部材を備え、前記環状部材の外周縁部の下方域に於いて前記外周縁部と間隔をあけて前記外胴が配置される』ものでもよい。
【００１８】
このものでは、内胴の上端に取り付けられた環状部材が中胴との間に間隔をあけて中胴よりも外周側に張り出しており、環状部材の外周縁部の下方域にて前記外周縁部と間隔をあけて外胴が配置されているから、第１間隙及び第２間隙の各々の上端に達した空気は、この環状部材によりケース体の外部に導かれる。
このものでは、環状部材の外周縁部の下方域に外胴が配置されているから、この環状部材の張り出し部の下方空間を有効利用できる。又、このガス炊飯器の胴部の外観上の一体感が増すものとなる。
【００１９】
【発明の実施の形態】
以下、本願発明の実施の形態を、図面に基づいて説明する。
図１は、本願発明の実施の形態に於けるガス炊飯器（Ａ）  の構成の概要を示す図であり、図２は、図１のケース体（２）  の拡大断面図であり、図３は、図２の第２金具（５）  の正面図であり、図４は、図２の窓部（２０）の拡大断面図であり、図５は、ガス炊飯器（Ａ）  の外表面温度の測定点（Ｓ１）〜（Ｓ４）を示す図である。
【００２０】
図１に示すように、ガス炊飯器（Ａ）  は、業務用であり、炊飯釜（８）  の胴部（８０）を包囲して炊飯釜（８）  を支持する筒状のケース体（２）  が台ケース（１）  に載置された構成となっている。
［台ケース（１）  について］
台ケース（１）  は、図１に示すように、ガスバーナなどの燃焼機能部を収容した構成であり、この台ケース（１）  の上面部を構成する汁受皿（１１）の中央部に形成された開口（１１ａ）  を介してガスバーナのバーナヘッド（１ａ）が上方に露出している。従って、ケース体（２）  内に於いて、台ケース（１）  とその上方の炊飯釜（８）  との間がバーナヘッド（１ａ）から噴出するガスを燃焼させる為の燃焼室（１００）  となる。
【００２１】
［炊飯釜（８）  について］
図１に示すように、炊飯釜（８）  の胴部（８０）は、後述のケース体（２）  よりも一回り小さく形成されており、これによって、胴部（８０）とケース体（２）  との間には、その上下方向に亙って環状間隙が形成されている。又、炊飯釜（８）  の上端部（胴部（８０）よりも上方の部分）は、ケース体（２）  よりも外周側に張り出しており、この張出し部から下方に突出して周方向に並ぶ複数のリブ体（８１）がケース体（２）  （後述の環状部材（２ｄ））に載置されている。これによって、リブ体（８１）相互間の間隙を介して胴部（８０）とケース体（２）  との間の環状間隙がケース体（２）  の外部に連通している。
【００２２】
［ケース体（２）  について］
ケース体（２）  は、図２に示すように、内胴（２ａ）と、この内胴（２ａ）を包囲する中胴（２ｂ）と、この中胴（２ｂ）を包囲する外胴（２ｃ）と、内胴（２ａ）に取り付けられて中胴（２ｂ）よりも外周側に張り出す環状部材（２ｄ）と、を備えた構成となっている。そして、内胴（２ａ）と中胴（２ｂ）との間には、筒状の第１間隙（２０１）  が形成され、中胴（２ｂ）と外胴（２ｃ）との間には、筒状の第２間隙（２０２）  が形成されている。
【００２３】
この為、内胴（２ａ）と中胴（２ｂ）との間には、その下端にて周方向に並ぶ第１金具（３）  群と、上端部にて周方向に並ぶ第２金具（４）  群と、が介在され、中胴（２ｂ）と外胴（２ｃ）との間には、その上端部にて周方向に並ぶ第３金具（５）  群が介在されている。
各第１金具（３）  は、図２に示すように、内胴（２ａ）の下端のフランジ部（２０ａ）  と汁受皿（１１）とに挟まれた状態でフランジ部（２０ａ）  と共に汁受皿（１１）にネジ止めされている。又、この第１金具（３）  に於ける内胴（２ａ）よりも外周側に突出する部分には、汁受皿（１１）の外周縁部に載置されるＬ字状部分（３１）が備えられており、このＬ字状部分（３１）に対して、中胴（２ｂ）の下端が密に外嵌する態様で載置されている。
【００２４】
各第２金具（４）  は、図３に示す上記周方向の両端部に形成された一対の貫通孔（４１）を用いて図２のように内胴（２ａ）にネジ止めされている。又、この第２金具（４）  は、図２及び図３に示すように、前記周方向の中程の部分が中胴（２ｂ）側に突出しており、この突出部の先端面から突出して上下に並ぶ一対のリブ（４３）の各々が中胴（２ｂ）に接触している。
【００２５】
従って、これら第１金具（３）  群及び第２金具（４）  群によって、内胴（２ａ）と中胴（２ｂ）とがその下端及び上端部にて一体的につながると共に、これら内胴（２ａ）と中胴（２ｂ）との間に上記した第１間隙（２０１）  が形成されたものとなる。又、第１金具（３）  相互間の間隙を介して第１間隙（２０１）  の下端がケース体（２）  の外部に連通したものとなる。
【００２６】
各第３金具（５）  は、図２に示すように、中胴（２ｂ）と外胴（２ｃ）との間に介在された筒体（５２）と、この筒体（５２）に挿通される態様で外胴（２ｃ）及び中胴（２ｂ）に貫通するネジ（５１）と、からなり、ネジ（５１）は、前記した第２金具（４）  のリブ（４３）間に形成されたネジ孔（４２）に螺合している。
従って、この第３金具（５）  群によって、外胴（２ｃ）は、その上端部のみが中胴（２ｂ）に連結されたものとなる。又、この第３金具（５）  （筒体（５２））群によって、中胴（２ｂ）と外胴（２ｃ）との間に上記した第２間隙（２０２）  が形成されたものとなる。尚、この第２間隙（２０２）  の幅（Ｈ２）は、１０ｍｍ程度に設定されており、上記した第１間隙（２０１）  の幅（Ｈ１）は、１０ｍｍ程度に設定されている。
【００２７】
又、内胴（２ａ）、中胴（２ｂ）及び外胴（２ｃ）の内の中胴（２ｂ）が台ケース（１）  の外周縁部の上方域に配置されて、第２間隙（２０２）  が台ケース（１）  よりも外周側に位置していることから、第２間隙（２０２）  の下端がケース体（２）  の外部に連通したものとなる。
更に、上記した環状部材（２ｄ）は、中胴（２ｂ）及び外胴（２ｃ）に対して間隔をあけて配置されている。これによって、第１間隙（２０１）  及び第２間隙（２０２）  の上端がケース体（２）  の外部に連通したものとなる。
【００２８】
尚、このケース体（２）  では、内胴（２ａ）、中胴（２ｂ）及び環状部材（２ｄ）が炊飯釜（８）  の荷重を受けることになるが、内胴（２ａ）と中胴（２ｂ）とが上記の第１金具（３）  群によって台ケース（１）  に安定的に載置されており、この第１金具（３）  群や第２金具（４）  群等によって、内胴（２ａ）と中胴（２ｂ）とが相互に連結されている。又、環状部材（２ｄ）が内胴（２ａ）の上端に加えて中胴（２ｂ）の上端でも支持されている。従って、このケース体（２）  の強度が確保されている。尚、外胴（２ｃ）では、炊飯釜（８）  を支持していない。
【００２９】
このものでは、上記した燃焼室（１００）  がケース体（２）  により包囲されてケース体（２）  の外部に露出していないが、このケース体（２）  には、図４に示すように、燃焼室（１００）  のガス燃焼の状態を確認する為の窓部（２０）が備えられている。
この窓部（２０）には、燃焼室（１００）  に臨む位置にて内胴（２ａ）及び中胴（２ｂ）に貫通状態に装着された筒状の枠体（２３）と、この枠体（２３）に嵌め込まれて枠体（２３）に固定された窓板（２４）と、外胴（２ｃ）に於ける窓板（２４）に対向する部分に形成された開口部（２７）と、が備えられている。
【００３０】
枠体（２３）は、その両端部が内胴（２ａ）及び外胴（２ｃ）に固定されており、外胴（２ｃ）に対して非接触となっている。又、窓板（２４）は、枠体（２３）内の燃焼室（１００）  側の端部に位置した状態でパッキン（２５）及び止めリング（２６）で抑えられることによって、枠体（２３）に固定されている。
従って、ケース体（２）  の外部から窓部（２０）（開口部（２７）及び窓板（２４））を介して燃焼室（１００）  のガス燃焼の状態を確認できるものとなり、これによって、このガス炊飯器の安全性が向上している。尚、燃焼室（１００）  のガス燃焼状態を表示するＬＥＤ等からなる表示装置（図示せず）をこのガス炊飯器の外部に露出するように設けたものでもよい。
【００３１】
［ケース体（２）  の外表面温度について］
このガス炊飯器（Ａ）  では、その炊飯動作時に、燃焼室（１００）  でのガス燃焼により生じた燃焼排気が図２の矢印（Ｑ１）のように、ケース体（２）  と炊飯釜（８）  との間を上昇してケース体（２）  の外部に排出される。このとき、前記燃焼排気に直接接触する内胴（２ａ）が前記燃焼排気により加熱されて、この内胴（２ａ）の熱が外周側に伝導することから、外胴（２ｃ）の温度、つまり、ケース体（２）  の外表面温度が上昇する傾向となる。
【００３２】
このガス炊飯器（Ａ）  のケース体（２）  の外表面温度を、図５に示す測定点（Ｓ１）〜（Ｓ４）にて測定し、更に、他の構成のガス炊飯器（Ｂ）（Ｃ）のケース体の外表面温度を、同じ測定点（Ｓ１）〜（Ｓ４）にて測定すると、次の表１のようになった。
【００３３】
【表１】
0003619014.tif 000002
【００３４】
ここで、ガス炊飯器（Ｂ）  は、上記の窓部（２０）の枠体（２３）を内胴（２ａ）及び外胴（２ｃ）だけでなく外胴（２ｃ）まで貫通状態に装着したものであり、その他の構成はガス炊飯器（Ａ）  と同じである。ガス炊飯器（Ｃ）  は、外胴（２ｃ）を備えない従来のものであり、その他の構成はガス炊飯器（Ａ）  と同じである。
そして、ガス炊飯器（Ａ）（Ｂ）（Ｃ）  の各々は、何れも１０リットル炊きとなっており、米量及び水量や加熱工程などが同一となる炊飯条件下で上記外表面温度を測定している。又、何れのガス炊飯器でも、前記加熱工程にてガス燃焼開始から２０分経過後の温度が最高温度となるが、この最高温度を測定温度としている。尚、測定点（Ｓ１）は、ガス炊飯器の正面側の開口部（２７）近傍位置であり、測定点（Ｓ２）は、前記正面側の上部の所定位置であり、測定点（Ｓ３）（Ｓ４）は、ガス炊飯器の背面側の上部の左右の所定位置の温度である。
【００３５】
この表１によれば、測定点（Ｓ２）〜（Ｓ４）の何れに於いても、ガス炊飯器（Ｃ）  の温度よりもガス炊飯器（Ａ）（Ｂ）の温度が大幅に低くなっている。これは、次のような理由による。
ガス炊飯器（Ａ）（Ｂ）では、内胴（２ａ）とこれの外周側の中胴（２ｂ）との間に上記した第１間隙（２０１）  があるから、この第１間隙（２０１）  の空気層による断熱作用によって、内胴（２ａ）から中胴（２ｂ）への熱伝導が抑制されて中胴（２ｂ）の温度上昇が抑制される。加えて、中胴（２ｂ）とこれの外周側の外胴（２ｃ）との間に上記した第２間隙（２０２）  があるから、中胴（２ｂ）から外胴（２ｃ）への熱伝導が抑制されて外胴（２ｃ）の温度上昇が抑制される。従って、これらガス炊飯器（Ａ）（Ｂ）のケース体（２）  の外表面温度の上昇が抑えられる。
【００３６】
又、第１間隙（２０１）  及び第２間隙（２０２）  の上下両端がケース体（２）  の外部に連通しているから、この外部の空気が図２の矢印（Ｑ２）のように第１間隙（２０１）  及び第２間隙（２０２）  の各々の下端から流入して、第１間隙（２０１）  及び第２間隙（２０２）  の各々を上昇する。この上昇した空気は、図２の矢印（Ｑ３）のように、第１間隙（２０１）  及び第２間隙（２０２）  の上端に達して中胴（２ｂ）及び外胴（２ｃ）と環状部材（２ｄ）との間を通ってケース体（２）  の外部に排出される。従って、第１間隙（２０１）  及び第２間隙（２０２）  での空冷作用によって中胴（２ｂ）及び外胴（２ｃ）の温度上昇が抑制されるものとなり、この点でも、ケース体（２）  の外表面温度の上昇が抑えられる。
【００３７】
以上のように、これらガス炊飯器（Ａ）（Ｂ）では、第１間隙（２０１）  での断熱作用及び空冷作用に加えて、第２間隙（２０２）  での断熱作用及び空冷作用があることとなるから、間隙が１つのガス炊飯器（Ｃ）  に比べて、ケース体（２）  の外表面温度の上昇の抑制が大きくなる。従って、測定点（Ｓ２）〜（Ｓ４）に於いて、ガス炊飯器（Ｃ）  の温度よりもガス炊飯器（Ａ）（Ｂ）の温度が大幅に低くなった。
【００３８】
更に、上記した表１によれば、測定点（Ｓ１）〜（Ｓ４）に於いて、ガス炊飯器（Ｂ）  の温度よりもガス炊飯器（Ａ）  の温度が低くなっており、特に、測定点（Ｓ１）に於いて、ガス炊飯器（Ａ）  の温度が大幅に低くなっている。これは、次のような理由による。
ガス炊飯器（Ａ）  では、内胴（２ａ）及び中胴（２ｂ）に装着された枠体（２３）が外胴（２ｃ）に対して非接触となっており、この枠体（２３）による内胴（２ａ）及び中胴（２ｂ）から外胴（２ｃ）への熱伝導が生じないから、枠体（２３）が外胴（２ｃ）に接触しているガス炊飯器（Ｂ）  に比べて、外胴（２ｃ）の温度上昇の抑制が大きくなる。従って、測定点（Ｓ１）〜（Ｓ４）にて、ガス炊飯器（Ｂ）  の温度よりもガス炊飯器（Ａ）  の温度が低くなり、特に、測定点（Ｓ１）にて、ガス炊飯器（Ａ）  の温度が大幅に低くなった。
【００３９】
このガス炊飯器（Ａ）  では、表１のように、測定点（Ｓ１）〜（Ｓ４）の全てで８０℃以下となっているから、このガス炊飯器（Ａ）  の安全性が向上している。
このガス炊飯器（Ａ）  では、第１金具（３）  群及び第２金具（４）  群による内胴（２ａ）から中胴（２ｂ）への熱伝導によって、中胴（２ｂ）の温度上昇の抑制が阻害され易いが、外胴（２ｃ）は、その上端部のみが中胴（２ｂ）に連結されているから、この連結箇所による中胴（２ｂ）から外胴（２ｃ）への熱伝導が小さくなる。従って、この点でも、外胴（２ｃ）の温度上昇の抑制が十分なものとなる。尚、外胴（２ｃ）を中胴（２ｂ）に連結する第３金具（５）  の筒体（５２）は、中胴（２ｂ）及び外胴（２ｃ）に対して接触面積の小さいものが好ましい。
【００４０】
又、環状部材（２ｄ）の外周縁部の下方域に外胴（２ｃ）が配置された構成となっており、これによって、この環状部材（２ｄ）に於いて中胴（２ｂ）よりも外周側に張り出した部分の下方空間を有効利用できる。又、このガス炊飯器の胴部の外観上の一体感が増すものとなる。
［他の実施の形態］
図６は、本願発明の他の実施の形態に於ける窓部（２０）の拡大断面図である。
【００４１】
上記の実施の形態では、窓部（２０）の枠体を内胴（２ａ）及び中胴（２ｂ）に跨って装着される筒体としたが、これを、同図に示すように、内胴（２ａ）のみに装着される構成としてもよい。
同図に示す窓部（２０）には、燃焼室（１００）  に臨む位置にて内胴（２ａ）に形成された開口（２９）を内胴（２ａ）の外部から閉じる窓板（２４）と、この窓板（２４）の周縁部を抑えた状態で内胴（２ａ）にネジ止め等により固定される枠体（２２）と、中胴（２ｂ）及び外胴（２ｃ）に於ける窓板（２４）に対向する部分の各々に形成された開口部（２８）（２７）と、が備えられている。
【００４２】
このものでは、ケース体（２）  の外部から開口部（２７）（２８）の各々及び窓板（２４）を介して燃焼室（１００）  でのガス燃焼の状態を確認できる。
このものでは、内胴（２ａ）に装着された枠体（２２）が中胴（２ｂ）に対して非接触となるから、この枠体（２２）による内胴（２ａ）から中胴（２ｂ）への熱伝導が生じない。従って、中胴（２ｂ）の温度上昇が抑えられ、これによって、外胴（２ｃ）の温度上昇が上記したガス炊飯器（Ａ）  よりも更に抑えられる。
【図面の簡単な説明】
【図１】本願発明の実施の形態に於けるガス炊飯器（Ａ）  の構成の概要を示す図
【図２】図１のケース体（２）  の拡大断面図
【図３】図２の第２金具（５）  の正面図
【図４】図２の窓部（２０）の拡大断面図
【図５】ガス炊飯器（Ａ）  の外表面温度の測定点（Ｓ１）〜（Ｓ４）を示す図
【図６】本願発明の他の実施の形態に於ける窓部（２０）の拡大断面図
【図７】従来のガス炊飯器（９）  の要部断面図
【符号の説明】
（８）  ・・・炊飯釜
（８０）・・・胴部
（２）  ・・・ケース体
（１００）  ・・・燃焼室
（２ａ）・・・内胴
（２ｂ）・・・中胴
（２ｃ）・・・外胴
（２０）・・・窓部
【図１】
0003619014.tif 000003
【図２】
0003619014.tif 000004
【図３】
0003619014.tif 000005
【図４】
0003619014.tif 000006
【図５】
0003619014.tif 000007
【図６】
0003619014.tif 000008
【図７】
0003619014.tif 000009